(57)【要約】      （修正有）【課題】建物壁面、玄関ドア等の厚さの違いに対応でき、換気効率、防犯性を向上させ、室内側に向けたシャッターユニットの建物壁面、玄関ドア等に対する突出高さを略無くし、シャッターユニットと防虫網の着脱、防虫網の掃除・交換を容易にした換気用ガラリを提供する。【解決手段】ガラリ本体２の後部箇所と中段鍔片４ｅとにより囲まれた低段領域４ｓ内に、防虫網取付部材１４を備えたシャッターユニット１０を、着脱自在に収納させた。【選択図】図５
0003186467.tif 000002
【実用新案登録請求の範囲】
【請求項１】
ガラリ外枠材３と、ガラリ内枠材４と、ガラリ羽根６と、防虫網取付部材１４を背面側に備えたシャッターユニット１０とを主要構成部品とし、
ガラリ外枠材３は、方形又は楕円形或いは円形の筒部３ａを有し、該筒部３ａの室外側周端部から直角外方向に前フランジ部３ｂが設けられ、筒部３ａ側に向けた周端部から直角外方向に後鍔（つば）部３ｃが設けられて、後鍔部３ｃにビス螺入孔３ｄが設けられてなり、
ガラリ内枠材４は、筒部３ａの内側に配置される筒部４ａを有し、筒部４ａの室外側周端部から直角内方向に前鍔片４ｂが設けられ、筒部４ａの室内側周端部から直角外方向に後フランジ部４ｃが設けられ、後フランジ部４ｃにビス挿通孔４ｆが設けられ、筒部４ａの後部寄りの周囲箇所から直角内方向に中段鍔片４ｅが設けられ、中段鍔片４ｅはビス螺入孔４ｇ又は留め具の突入孔を設けることが可能な突出高さを有してなり、
ガラリ外枠材３を建物の壁面、玄関ドア等に開設した開口部内に室外側から突入させ、前鍔片４ｂと前記中段鍔片４ｅとにより囲まれた空間内に、１又は複数枚のガラリ羽根６を配設したガラリ内枠材４を、前記開口部内に室内側から突入させて、前フランジ部３ｂと後フランジ部４ｃとにより前記開口部の両端縁部を挟んだ姿勢で、室内側から後フランジ部４ｃのビス螺入孔４ｇ内に挿入したビス１７の先端部を、後鍔片３ｃのビス螺入孔３ｄ内に螺入して、ガラリ内枠材３とガラリ外枠材４とを前記開口部内に装着させる構造を有し、
筒部４ａの後部箇所と中段鍔片４ｅとにより囲まれた低段領域４ｓは、防虫網取付部材１４を備えたシャッターユニット１０の前後厚さと同程度の深さを有していることを特徴とする換気用ガラリ。
【請求項２】
シャッターユニット１０は、室内側に向けた固定シャッター板１１と、該固定シャッター板１１の裏面側に上下スライド移動調整自在に配設した可動シャッター板１２とを有し、
固定シャッター板１１と可動シャッター板１２には、上下複数段の横長の換気用長孔１１ａ，１２ａが設けられ、
可動シャッター板１２の上下方向の位置調整による双方の換気用長孔１１ａ，１２ａの位置合わせの程度により、換気量の調整が行なわれ、
可動シャッター板１２は、弾性部材又はクッション部材により、前記固定シャッター板１１に接面する方向に付勢されている、請求項１に記載の換気用ガラリ。
【請求項３】
可動シャッター板１２の両側端近傍面１２Ｌ，１２Ｒには、固定シャッター板３の両側端近傍面１１Ｌ，１１Ｒに設けた縦方向のガイド長孔１１ｄ，１１ｄ内に上下移動自在に突入する突部１９，１９が設けられている、請求項１又は２に記載の換気用ガラリ。
【考案の詳細な説明】
【技術分野】
【０００１】  本考案は、ドア又は壁面等に設けた開口内に取り付けられる換気用ガラリに関する。
【背景技術】
【０００２】  換気用ガラリが玄関ドア、建築物の壁面、窓サッシ等に設けた開口内に配設されていると、建物室内の換気がされ、屋外の涼風が室内に流入する。
換気用ガラリには、ガラリ枠とガラリ羽根と防虫網を備えたタイプ（特許文献１）等が公知であり、この他にも、更に、空気の流通量を調整するシャッター板（ベンチレータ）を備えたものもある。
【先行技術文献】
【０００３】
【特許文献１】実開平３−４０４８１号公報の第１図
【０００４】  しかしながら、特許文献１による換気用ガラリは、防虫網の取り付け部が換気用ガラリと一体になっているため、防虫網の取り付け、交換、清掃が面倒で手間が掛かる。また、従来の換気用ガラリに設けられているシャッター板（ベンチレータ）は、横方向に移動させて換気量を調節する縦長の換気孔が設けられた構造のものが主流であり、横向きに上下複数段に換気用ガラリとこの種のシャッターとを併用すると、換気用ガラリ内部で気流のかく乱が生じるため、換気効率が劣る。
【考案の概要】
【考案が解決しようとする課題】
【０００５】  本考案が解決しようとする課題は、次のとおりである。
▲１▼建物壁面、玄関ドア等の厚さの違いに対応させる。▲２▼換気効率を向上させる。▲３▼防犯性を向上させる。▲４▼室内側に向けたシャッターユニットの突出高さを略無くす。▲５▼シャッターユニットと防虫網の着脱、防虫網の掃除・交換を容易にする。▲６▼上下移動調整型の可動シャッター板の自重による降下を構造で防止する。▲７▼シャッター全閉時に、寒風が進入する２枚のシャッター板間の隙間を無くす。
【課題を解決するための手段】
【０００６】  請求項１に係る換気用ガラリは、
ガラリ外枠材３と、ガラリ内枠材４と、ガラリ羽根６と、防虫網取付部材１４を背面側に備えたシャッターユニット１０とを主要構成部品とし、
ガラリ外枠材３は、方形又は楕円形或いは円形の筒部３ａを有し、該筒部３ａの室外側周端部から直角外方向に前フランジ部３ｂが設けられ、筒部３ａ側に向けた周端部から直角外方向に後鍔（つば）部３ｃが設けられて、後鍔部３ｃにビス螺入孔３ｄが設けられてなり、
ガラリ内枠材４は、筒部３ａの内側に配置される筒部４ａを有し、筒部４ａの室外側周端部から直角内方向に前鍔片４ｂが設けられ、筒部４ａの室内側周端部から直角外方向に後フランジ部４ｃが設けられ、後フランジ部４ｃにビス挿通孔４ｆが設けられ、筒部４ａの後部寄りの周囲箇所から直角内方向に中段鍔片４ｅが設けられ、中段鍔片４ｅはビス螺入孔４ｇ又は留め具の突入孔を設けることが可能な突出高さを有してなり、
ガラリ外枠材３を建物の壁面、玄関ドア等に開設した開口部内に室外側から突入させ、前鍔片４ｂと前記中段鍔片４ｅとにより囲まれた空間内に、１又は複数枚のガラリ羽根６を配設したガラリ内枠材４を、前記開口部内に室内側から突入させて、前フランジ部３ｂと後フランジ部４ｃとにより前記開口部の両端縁部を挟んだ姿勢で、室内側から後フランジ部４ｃのビス螺入孔４ｇ内に挿入したビス１７の先端部を、後鍔片３ｃのビス螺入孔３ｄ内に螺入して、ガラリ内枠材３とガラリ外枠材４とを前記開口部内に装着させる構造を有し、
筒部４ａの後部箇所と中段鍔片４ｅとにより囲まれた低段領域４ｓは、防虫網取付部材１４を備えたシャッターユニット１０の前後厚さと同程度の深さを有している。【０００７】  請求項２に係る換気用ガラリは、更に、
シャッターユニット１０は、室内側に向けた固定シャッター板１１と、該固定シャッター板１１の裏面側に上下スライド移動調整自在に配設した可動シャッター板１２とを有し、
固定シャッター板１１と可動シャッター板１２には、上下複数段の横長の換気用長孔１１ａ，１２ａが設けられ、
可動シャッター板１２の上下方向の位置調整による双方の換気用長孔１１ａ，１２ａの位置合わせの程度により、換気量の調整が行なわれ、
可動シャッター板１２は、弾性部材又はクッション部材により、前記固定シャッター板１１に接面する方向に付勢されている。【０００８】  可動シャッター板１２の両側端近傍面１２Ｌ，１２Ｒには、固定シャッター板３の両側端近傍面１１Ｌ，１１Ｒに設けた縦方向のガイド長孔１１ｄ，１１ｄ内に上下移動自在に突入する突部１９，１９が設けられている。
【考案を実施するための形態】
【０００９】  以下、本考案における換気用ガラリの好適なる実施形態を詳述する。
【図面の簡単な説明】
【００１０】
【図１】本考案実施形態に係る換気用ガラリの側面断面図。
【図２】同じくシャッター全閉状態で示した側面断面図。
【図３】（ａ）は同じくシャッター全閉状態で示す背面図、（ｂ）はシャッター全開状態で示す背面図。
【図４】（ａ）はガラリ内枠材に用いられる型材の側面図、（ｂ）はガラリ外枠材とガラリ内枠材の組付け構造を示す上部側面断面図。
【図５】網戸付きシャッターユニットを取り外した状態の側面断面図。
【図６】シャッターユニットの分解斜視図。
【図７】（ａ）はシャッターユニットの側面断面図、（ｂ）はシャッターユニットのコーナー箇所の他例を示した部分側面断面図、（ｃ）は板ばねの取り付け状態を示した背面図。
【図８】（ａ）はシャッターユニット中央部の拡大部分平面断面図、（ｂ）はシャッターユニット両端部の拡大部分平面断面図。
【図９】（ａ）は第２実施形態による換気用ガラリの正面図、（ｂ）は同じくシャッターユニット両端部の拡大部分平面断面図。
【図１０】換気用ガラリ付き玄関ドアの正面図。
【実施例】
【００１１】〔全体構成〕
図１〜図３に示す本考案実施形態に係る換気用ガラリ１は、ガラリ外枠材３と、ガラリ内枠材４と、複数枚のガラリ羽根６と、防虫網１６及び防虫網取付部材１４を備えた上下開閉調整が行えるシャッターユニット１０とを主要構成部品とする、角型の換気用ガラリであり、ガラリ外枠材３とガラリ内枠材４とガラリ羽根６とが組み付けられてガラリ本体２を構成する。【００１２】〔ガラリ外枠材〕
図１、図２に示すガラリ外枠材３は、アルミニウム又はアルミニウム合金等の軽金属製の押出し型材による上枠材と下枠材と左右の縦枠材の各両端部が接合された、正面及び背面視において方形枠形状を有し、内側には上下面と両側面とによる筒部３ａが形成されている。
そして、筒部３ａの室外側に向けた周端部から直角外方向に前フランジ部３ｂが立設し、筒部３ａの室内側に向けた周端部から直角外方向に後鍔片３ｃが立設している。【００１３】  前フランジ部３ｂは、ドア又は壁面等に設けた開口部の入口周囲の面を表側パネル板５１Ｆを外側から挟み付ける面になり、後鍔片３ｃは室内側から後述する後フランジ部４ｃに挿通させたビス５の先端近傍部を螺入させる面になる。【００１４】  前フランジ部３ｂと後フランジ部４ｃとは、同じ立設高さがある。
ビス５は前記開口部の内側に位置するため、後鍔片３ｃの立設高さは前フランジ部３ｂ及び後フランジ部４ｃよりも低く設定されている。
後鍔片３ｃは、ビス５による引き方向の締結力を受けることによる変形を防止するため、前フランジ部３ｂよりも肉厚が厚く設定されている。【００１５】  図１〜図３において、室内側から見た後鍔片３ｃは矩形枠形状であり、この矩形枠形状の四隅近傍箇所に、ビス５の軸部を挿通させるビス挿通孔３ｄが設けられている。
換気用ガラリ１が横長又は縦長の形状である場合には、後鍔片３ｃの横長又は縦長方向の途中箇所にも同様のビス挿通孔３ｄが設けられている。【００１６】〔ガラリ内枠材〕
ガラリ内枠材４は、ガラリ外枠材３の筒部３ａの内側に沿う大きさの角形の筒部４ａを有し、筒部４ａの室外側に向けた周端部から直角内方向に前鍔片４ｂが立設し、筒部４ａの室内側に向けた周端部から直角外方向に広がる後フランジ部４ｃが立設し、筒部４ａの後部寄りの周囲箇所から直角内方向に前鍔片４ｂよりも高さがある中段鍔片４ｅが立設した軽金属製の一体形成品である。【００１７】  室内側から見た後フランジ部４ｃは矩形枠形状であり、この矩形枠形状の四隅辺りの箇所にビスの軸部を挿通させるビス挿通孔４ｆが設けられている。
換気用ガラリ１が横長又は縦長の形状である場合には、後フランジ部４ｃの横長又は縦長方向の途中箇所にも同様のビス挿通孔４ｆを設けることが好ましい。【００１８】  室内側から見た中段鍔片４ｅは矩形枠形状であり、この矩形枠形状の四隅辺りの箇所にビスを螺入させるビス螺入孔４ｇが設けられている。
換気用ガラリ１が横長又は縦長の形状である場合には、中段鍔片４ｅの横長又は縦長方向の途中箇所にも同様のビス螺入孔４ｇを設けることが好ましい。【００１９】〔ガラリ内枠材用の型材〕
図３（ａ）は、ガラリ内枠材４として用いられる好適なる断面形状の型材を示している。
好適とする型材の寸法は、前後幅Ｗが約３７〜４７ｍｍ、全体高さＨが約２５ｍｍ、前鍔片４ｂと中段鍔片４ｅとの間の間隔Ｗ１が約２４ｍｍ、後フランジ部４ｃから中段鍔片４ｅに至る深さＷ２が約７〜１０ｍｍ、ガラリ内枠材４ｂの筒部４ａを形成する水平板部４ｘの後部から中段鍔片４ｅの先端部に至る立設高さＨ１が約１０ｍｍ、水平板部４ｘの前部から中段鍔片４ｅの先端部に至る立設高さＨ２が約６．５ｍｍ、前鍔片４ｂの立設高さＨ３が約４ｍｍ、中段鍔片４ｅの肉厚ｔ１が約１．５〜３．５ｍｍ、前鍔片４ｂの肉厚ｔ２が約１ｍｍである。【００２０】  即ち、この型材と従来の型材との差異は、中段鍔片４ｅの肉厚ｔ１と、中段鍔片４ｅの立設高さＨ１、Ｈ２にある。
従来の型材による中段鍔片の肉厚と立設高さは、前鍔片４ｂの寸法と同程度である。このため、中段鍔片に前述のビス螺入孔４ｇを設ける広さがなく、ビスを用いたシャッターユニットの装着に耐える強度の問題が残る。【００２１】〔ガラリ外枠材とガラリ羽根の組付け構造〕
図３（ｂ）に示すように、ガラリ外枠材３の前フランジ部３ｂとガラリ内枠材４の後フランジ部４ｃとの間の間隔Ｄは、ビス５の回転操作に伴なうガラリ外枠材３の前後移動調整により変化する。この間隔Ｄは、例えば、３５ｍｍ〜５０ｍｍであり、この間隔Ｄ内でガラリ外枠材３の前後移動調整が行えると、殆どの玄関ドア及び建物壁面に厚さに対応できる。【００２２】  このガラリ外枠材３と後フランジ部４との装着は、室内側からビス５を螺入・締結させて行なう構造であるため、防犯性に優れる。【００２３】〔ガラリ羽根〕
図１、図２に示すガラリ羽根６は、ガラリ内枠材４の鍔片４ｂと後フランジ部との間の空間内に、両端部が筒部４ａの左右の縦枠箇所に支持された支軸７を介して、配設されている。
図では、山形形状のガラリ羽根６が水平姿勢で３段配設されているが、図示するガラリ羽根の形状、向き、枚数等は本考案を限定するものではない。【００２４】〔低段領域〕
図５に示すように、ガラリ外枠材３とガラリ内枠材とガラリ羽根６とが組み付けられたガラリ本体２の後部には、筒部４ａの後部箇所と中段鍔片４ｅとにより囲まれた低段領域４ｓが形成されている。
この低段領域４ｓの深さＷ２は、例えば、約７〜１０ｍｍである。【００２５】〔シャッターユニット〕
図５、図６及び図７（ａ）に示すように、シャッターユニット１０は、固定シャッター板１１と、可動シャッター板１２と、ツマミ１３と、防虫網支持部材１４と、板ばね２４と、押さえ板２１と、ビス１７，２１と、スペーサ２３とによる組み付け品である。【００２６】〔固定シャッター板〕
固定シャッター板１１は、低段領域４ｓ内に納まる広さがある。これらの図によると、固定シャッター板１１の周囲は後方に折曲されており、固定シャッター板１１の折曲により囲まれた裏面側内に、可動シャッター板１２と、防虫網支持部材１４とが配置されている。
この折曲部を含む固定シャッター板１１の前後厚さＤ２は、低段領域４ｓ内に納まる厚さとされている。
図６及び図７（ａ）に示す固定シャッター板１１には、上下３段の横長の換気孔１１ａが左右に振り分けられて設けられている。
各換気孔１１ａは、高い換気効率を実現させるため、図２に示すように、ガラリ羽根６，６相互間の換気流路に合わせた位置及び大きさとされている。【００２７】  固定シャッター板１１が肉厚のあるアルミ板製である場合には、図７（ｂ）に示すように、周囲が後方に折曲されていない構造であってもよい。【００２８】〔可動シャッター板〕
可動シャッター板１２には、上下２段の横長の換気孔１２ａが左右に振り分けられて設けられている。個々の換気孔１２ａは、換気孔１１ａと同じ大きさがあり、可動シャッター板１２を固定シャッター板１１に重ねて上下位置調整をすると、図３（ａ）及び（ｂ）に示すように、シャッター窓の全閉状態、全開状態、半開状態が行なえる。
固定シャッター板１１の換気孔１１ａが上下３段であるのに対し、可動シャッター板１２の換気孔１２ａが上下２段としたのは、図２を見れば解るように、２段でも足り、可動シャッター板１２の上下高さに制限があるからである。【００２９】〔可動シャッター板の支持構造〕
図３、図７（ａ）（ｃ）及び図８（ａ）に示すように、固定シャッター板１１の略中央箇所には上下方向に向けた長孔１１ｂが設けられている。
長孔１１ｂ内にはビス２０を挿通させた筒状のスペーサ２３が突入しており、スペーサ２３の後端とその後方に位置する押さえ板２１との間には横長形状の板ばね２４が、中央面をビス２０に軸支させた状態で保持されている。
ビス２０の先端部は、固定シャッター板１１の前方に位置するツマミ１３に螺入装着され、弾性部材の１種である板ばね３４の圧縮に抗する弾発力により、ツマミ１３の姿勢を安定させ、可動シャッター板１２を固定シャッター板１１に向けて押し付けている。板ばね３４の代わりにコイルばね又は繊維質のクッション部材を使用してもよい。
このため、ツマミ１３を指先で持って上下移動させると、長孔１１ｂの長さの範囲内で、スペーサ２３、板ばね２４、押さえ板２１、ビス２０等を引き連れて、可動シャッター板１２を上下移動させる。この上下移動は、板ばね２４の弾性変形が伴なうため、容易に行なえる。また、板ばね２４の付勢力により、可動シャッター板１２を、自重による降下を阻止し、所望の高さの位置を維持させる。【００３０】  尚、シャッターユニット１０をビス留めするのではなく、留め具の突入孔をシャッターユニット１０に設け、中段鍔片４ｅにカギ孔を設けて、先端部が鉤状になった留め具の回転操作で、シャッターユニット１０を低段領域４ｓ内に装着できるようにしてもよい。留め具としてカムロックファスナーを用いてもよい。【００３１】〔防虫網取付部材〕
図５、図６、図７（ａ）、図８（ｂ）に示す防虫網取付部材１４は、アルミニウム又は樹脂製の枠形状を有している。防虫網取付部材１４の後面には、防虫網１６を支持させる凹溝１４ａが設けられており、防虫網１６の周囲近傍面を丸軸状のゴム等で出来た止め部材１５と共に凹溝１４ａ内に突入させると、防虫網１６が防虫網取付部材１４に張設される。
防虫網取付部材１４は、シャッターユニット１０と一体となって低段領域４ｓ内から取り出すことができ、また、固定シャッター板１１から取り外すことができるため、防虫網１６の着脱、防虫網の掃除・交換が、楽な姿勢で、容易に行なえる。【００３２】  図８（ｂ）に示すように、防虫網取付部材１４の周囲の凹溝１４ａと反対側面は段付き形状となって、可動シャッター板１２の少なくとも左右両端部１２ｄ，１２ｄを背面側からガイドしている。【００３３】  図９（ａ）及び（ｂ）に示すように、固定シャッター板１１の左右両端近傍面１１Ｌ，１１Ｒに縦方向のガイド長孔１１ｄ，１１ｄを設けて、可動シャッター板１２から突出させた突起１９，１９をガイド長孔１１ｄ，１１ｄ内に突出させる構造にして、可動シャッター板１２の左右両端面１２Ｌ，１２Ｒを背面側からガイドさせてもよい。このようにすると、可動シャッター１２の上下移動が傾き無く円滑に行なえる。【００３４】  図１０に示すように、本考案実施形態に係る換気用ガラリ１を玄関ドア５０に設けた開口内に取りつけると、室内の換気が行なえ、夏場には涼風を室内に取り入れることができ、室内温度の上昇を抑える。
【考案の効果】
【００３５】  本考案に係る換気用ガラリによれば、建物壁面、玄関ドア等の厚さの違いに対応させた取り付けが出来、換気効率及び防犯性が向上し、室内側に向けたシャッターユニットの建物壁面、玄関ドア等に対する突出高さが略無くなり、シャッターユニットと防虫網の着脱、防虫網の掃除・交換が容易になった。また、上下移動調整型の可動シャッター板の自重による降下が簡単な構造で防止できるようになった。さらに、シャッター全閉時に、屋外の寒風が進入し易い２枚のシャッター板相互間の隙間を無くすことができるようになった。
【符号の説明】
【００３６】    ３      ガラリ外枠材
３ａ    筒部
３ｂ    前フランジ部
３ｃ    後鍔（つば）部
３ｄ    ビス螺入孔
４      ガラリ内枠材
４ａ    筒部
４ｃ    後フランジ部
４ｅ    中段鍔片
６      ガラリ羽根
１０      シャッターユニット
１１      固定シャッター板
１２      可動シャッター板
１３      ツマミ
１４      防虫網取付部材
１６      防虫網
２４      板ばね
【図１】
0003186467.tif 000003
【図２】
0003186467.tif 000004
【図３】
0003186467.tif 000005
【図４】
0003186467.tif 000006
【図５】
0003186467.tif 000007
【図６】
0003186467.tif 000008
【図７】
0003186467.tif 000009
【図８】
0003186467.tif 000010
【図９】
0003186467.tif 000011
【図１０】
0003186467.tif 000012